(57)【要約】【課題】構造が簡単で、安価に製作できるとともに、手摺に挟まれた腕等の取り外し方法を目視で判るエレベータのかご室手摺装置を得る。【解決手段】エレベータのかご室壁面を形成する壁パネル２に根元部が取り付けられ、先端部が互いに対向するように配置された円筒状パイプからなる左右一対の手摺取付腕５と、手摺取付腕の先端部間に跨って取り付けられ、壁パネルと所定の間隔を有して配置された円筒状パイプからなる手摺８と、一方の手摺取付腕の先端部の開口内面に形成された雌ねじ６と、他方の手摺取付腕の先端部に形成された挿入孔７と、手摺の一方の端部に形成され、手摺取付腕の雌ねじにねじ込まれる雄ねじ９と、手摺の他方の端部に形成され、手摺取付腕の挿入孔内に摺動可能に挿入される挿入部１０とを備える。【選択図】図２
2010241526.tif 000002
【特許請求の範囲】
【請求項１】
エレベータのかご室壁面を形成する壁パネルに根元部が取り付けられ、先端部が互いに対向するように配置された円筒状パイプからなる左右一対の手摺取付腕と、
前記手摺取付腕の先端部間に跨って取り付けられ、前記壁パネルと所定の間隔を有して配置された円筒状パイプからなる手摺と、
一方の手摺取付腕の先端部の開口内面に形成された雌ねじと、
他方の手摺取付腕の先端部に形成された挿入孔と、
前記手摺の一方の端部に形成され、前記手摺取付腕の雌ねじにねじ込まれる雄ねじと、  前記手摺の他方の端部に形成され、前記手摺取付腕の挿入孔内に摺動可能に挿入される挿入部と、
を備えたことを特徴とするエレベータのかご室手摺装置。
【請求項２】
手摺の一方の端部表面に、回転方向を示す矢印表示を設けたことを特徴とする請求項１記載のエレベータのかご室手摺装置。
【請求項３】
手摺の他方の端部に盗難防止用連結具を設け、前記手摺と固定部との間を盗難防止用連結具により連結したことを特徴とする請求項１記載のエレベータのかご室手摺装置。
【請求項４】
手摺の中間部に変形可能な弾性体を設けたことを特徴とする請求項１〜請求項３のいずれかに記載のエレベータのかご室手摺装置。
【請求項５】
手摺取付腕の挿入孔の内面に円筒状の弾性摺動体を設けたことを特徴とする請求項１〜請求項４のいずれかに記載のエレベータのかご室手摺装置。
【請求項６】
左右両側の手摺取付腕の先端部を透明樹脂で構成し、手摺の一端部の雄ねじと手摺取付腕の先端部の雌ねじとのねじ込み関係が外部から目視できるようにしたことを特徴とする請求項１〜請求項５のいずれかに記載のエレベータのかご室手摺装置。
【請求項７】
透明な手摺取付腕の先端部表面に、回転方向を示す矢印表示を設けたことを特徴とする請求項６記載のエレベータのかご室手摺装置。
【請求項８】
他方の手摺取付腕を、壁パネルに一端が取り付け固定され、先端外周部にねじが形成された基部と、この基部の先端外周部のねじにねじ込まれて固定される本体部とから構成したことを特徴とする請求項１記載のエレベータのかご室手摺装置。
【請求項９】
エレベータのかご室壁面を形成する壁パネルに根元部が取り付けられ、先端部が互いに対向するように配置された円筒状パイプからなる左右一対の手摺取付腕と、
前記手摺取付腕の先端部間に跨って取り付けられ、前記壁パネルと所定の間隔を有して配置された円筒状パイプからなる手摺と、
前記各手摺取付腕の先端外周部に形成されたねじと、
前記手摺の両端部にそれぞれ形成されたねじと、
前記手摺取付腕のねじ及び前記手摺のねじの間に跨ってねじ込まれる左右一対のナットとを備え、
前記ナットを手摺取付腕側方向に移動させることにより、手摺を外せるようにしたことを特徴とするエレベータのかご室手摺装置。
【発明の詳細な説明】
【技術分野】
【０００１】
この発明は、エレベータのかご室手摺装置に関するものである。
【背景技術】
【０００２】
従来、エレベータのかご室手摺装置においては、手摺とかご室壁面との隙間に子供の腕等が挟まれた場合に、挟まれた腕等を手摺から容易に取り外すことができるようにする必要があった。これを解決するために、エレベータのかご室壁面を形成する壁パネルと所定の間隔を有して配置された手摺と、一端部が手摺に設けられ、他端部が壁パネルを貫通してかご室壁面の裏側に配置された手摺支持軸と、壁パネルに設けられ、手摺支持軸を軸方向に所定距離移動自在に支持する支持手段とを備えたエレベータのかご室手摺装置が知られている（例えば、特許文献１参照）。
【先行技術文献】
【特許文献】
【０００３】
【特許文献１】特開２００７−２２６７１号公報
【発明の概要】
【発明が解決しようとする課題】
【０００４】
特許文献１に記載された従来技術では、手摺とかご室壁面との隙間に子供の腕等が挟まれた場合、挟まれた腕等を手摺から容易に取り外すことはできるが、構造が複雑であり、しかもコストが高いという問題点があって、実現性には乏しいという問題を抱えているのが実情である。
【０００５】
この発明は、上述のような課題を解決するためになされたもので、構造が簡単で、安価に製作できるとともに、手摺に挟まれた腕等の取り外し方法を目視で判るようにしたエレベータのかご室手摺装置を提供するものである。
【課題を解決するための手段】
【０００６】
この発明に係るエレベータのかご室手摺装置においては、エレベータのかご室壁面を形成する壁パネルに根元部が取り付けられ、先端部が互いに対向するように配置された円筒状パイプからなる左右一対の手摺取付腕と、手摺取付腕の先端部間に跨って取り付けられ、壁パネルと所定の間隔を有して配置された円筒状パイプからなる手摺と、一方の手摺取付腕の先端部の開口内面に形成された雌ねじと、他方の手摺取付腕の先端部に形成された挿入孔と、手摺の一方の端部に形成され、手摺取付腕の雌ねじにねじ込まれる雄ねじと、手摺の他方の端部に形成され、手摺取付腕の挿入孔内に摺動可能に挿入される挿入部とを備えたものである。
【０００７】
また、手摺の一方の端部表面に、回転方向を示す矢印表示を設けたものである。
【０００８】
また、手摺の他方の端部に盗難防止用連結具を設け、手摺と固定部との間を盗難防止用連結具により連結したものである。
【０００９】
また、手摺の中間部に変形可能な弾性体を設けたものである。
【００１０】
また、手摺取付腕の挿入孔の内面に円筒状の弾性摺動体を設けたものである。
【００１１】
また、一方の手摺取付腕の先端部を透明樹脂で構成し、手摺の一端部の雄ねじと手摺取付腕の先端部の雌ねじとのねじ込み関係が外部から目視できるようにしたものである。
【００１２】
また、他方の手摺取付腕を、壁パネルに一端が取り付け固定され、先端外周部にねじが形成された基部と、この基部の先端外周部のねじにねじ込まれて固定される本体部とから構成したものである。
【００１３】
また、エレベータのかご室壁面を形成する壁パネルに根元部が取り付けられ、先端部が互いに対向するように配置された円筒状パイプからなる左右一対の手摺取付腕と、手摺取付腕の先端部間に跨って取り付けられ、壁パネルと所定の間隔を有して配置された円筒状パイプからなる手摺と、各手摺取付腕の先端外周部に形成されたねじと、手摺の両端部にそれぞれ形成されたねじと、手摺取付腕のねじ及び手摺のねじの間に跨ってねじ込まれる左右一対のナットとを備え、ナットを手摺取付腕側方向に移動させることにより、手摺を外せるようにしたものである。
【発明の効果】
【００１４】
この発明によれば、円筒状パイプからなる手摺取付腕と、円筒状パイプからなる手摺と、一方の手摺取付腕に形成された雌ねじと、他方の手摺取付腕に形成された挿入孔と、手摺の一方の端部に形成され手摺取付腕の雌ねじにねじ込まれる雄ねじと、手摺の他方の端部に形成され手摺取付腕の挿入孔内に摺動可能に挿入される挿入部とを備えたので、構造が簡単で、安価に製作できるという効果がある。
【図面の簡単な説明】
【００１５】
【図１】この発明の実施例１におけるエレベータのかご室手摺装置を備えたかご室の内部構造を示す斜視図である。
【図２】この発明の実施例１におけるエレベータのかご室手摺装置の構造を一部断面にして示す平面図である。
【図３】この発明の実施例２におけるエレベータのかご室手摺装置の要部構造を示す断面図である。
【図４】この発明の実施例３におけるエレベータのかご室手摺装置の要部構造を示す断面図である。
【図５】この発明の実施例４におけるエレベータのかご室手摺装置の構造を示す平面図である。
【図６】図５のＡ部を拡大して示す図である。
【図７】この発明の実施例５におけるエレベータのかご室手摺装置の構造を示す横断面図である。
【図８】この発明の実施例６におけるエレベータのかご室手摺装置の構造を示す横断面図である。
【図９】この発明の実施例６におけるエレベータのかご室手摺装置の要部構造を示す斜視図である。
【発明を実施するための形態】
【実施例１】
【００１６】
図１において、１はエレベータのかご室の床面を形成する床板、２ａはかご室の奥側の壁面を形成する壁パネル、２ｂはかご室の出入口から見て右側の壁面を形成する壁パネル、２ｃはかご室の出入口から見て左側の壁面を形成する壁パネル、３は奥側の壁パネル２ａ、右側の壁パネル２ｂ、左側の壁パネル２ｃと床板１との間にそれぞれ設けられた巾木、４は奥側の壁パネル２ａ、右側の壁パネル２ｂ、左側の壁パネル２ｃにそれぞれ設けられ、かご室床面１から所定の高さに水平に配置された円筒状パイプからなる手摺装置である。
【００１７】
図２は円筒状パイプからなる手摺装置４の構造を示すものである。５は壁パネル２に根元部５ａが取り付け固定された左右一対のＬ字状を呈する手摺取付腕である。この手摺取付腕５は円筒状パイプからなり、折り曲げられて壁パネル２の表面と平行になる部分の先端部５ｂが互いに対向するように同一水平面上に配置されている。６は左右一対のうち左側に配置された手摺取付腕５の先端部５ｂの開口部内面に形成された雌ねじで、手摺の一方（左側）の端部のねじ込み用として用いられるものである。７は左右一対のうち右側に配置された手摺取付腕５の先端部５ｂの開口部内面に形成された挿入孔で、手摺の他方（右側）の端部が摺動可能に挿入されるものである。８は左右一対の手摺取付腕５の先端部５ｂ間に取り付けられた直線状の円筒状パイプからなる手摺である。９は手摺８の一方（左側）の端部に形成された雄ねじで、左側に配置された手摺取付腕５の先端部５ｂの開口部内面に形成された雌ねじ６にねじ込まれている。１０は手摺８の他方（右側）の端部に形成された挿入部で、右側に配置された手摺取付腕５の先端部５ｂの開口部内面に形成された挿入孔７に摺動可能に挿入されている。１１は手摺８の他方（右側）の端部に形成された挿入部１０の先端中央部に一端部が固着され、他端部が右側に配置された手摺取付腕５に固着された鎖等からなる盗難防止用連結具、１２は手摺８の一方（左側）の端部表面に設けられた回転方向を示す矢印表示である。なお、この矢印表示１２の近傍には、例えば「万一挟まれた場合は、あわてずに矢印方向にお回し下さい」等の案内表示を入れておくことが望ましい。
【００１８】
この発明の実施例１におけるエレベータのかご室手摺装置によれば、手摺８とかご室の壁パネル２との隙間に子供の腕等が挟まれた場合には、手摺８を矢印表示１２の方向に回転させることにより、手摺８の一端部の雄ねじ９を手摺取付腕５から外れる方向に移動させることができるので、手摺８の一端部の雄ねじ９が外れた後、図２の仮想線で示すように、かご室の壁パネル２の表面から離れる方向に動くので、挟まれた腕等を容易に取り外すことができる。なお、手摺８は盗難防止用連結具１１で接続されているので、手摺の盗難も防止できる。
【実施例２】
【００１９】
図３はこの発明の実施例２におけるエレベータのかご室手摺装置の要部構造を示す断面図である。なお、実施例１と同一又は相当部分には同一符号を付してある。
上記実施例１では、左右一対の手摺取付腕５の先端部５ｂ間に直線状の円筒状パイプからなる手摺８を取り付けた構造について説明したが、この実施例２においては、手摺８の中間部に変形可能な弾性体１３を設けた構造である。この弾性体１３は、通常は図３（ａ）に示すように原型形状を保持している。しかし、手摺８とかご室の壁パネル２との隙間に子供の腕等が挟まれた場合には、手摺８を回転させることにより、手摺８の一端部の雄ねじ９を左側の手摺取付腕５から外れる方向に移動させ、手摺８の一端部の雄ねじ９が外れた後、図３（ｂ）の仮想線で示すように、かご室の壁パネル２の表面から離れる方向に動かして容易に変形することができるので、挟まれた腕等を容易に取り外すことができる。
【実施例３】
【００２０】
図４はこの発明の実施例３におけるエレベータのかご室手摺装置の要部構造を示す断面図である。なお、実施例１と同一又は相当部分には同一符号を付してある。
上記実施例１では、右側に配置された手摺取付腕５の先端部５ｂの開口部内面に挿入孔７を形成し、この挿入孔７に手摺８の他方の端部の挿入固定部１０を摺動可能に挿入した構造について説明したが、この実施例３においては、右側に配置された手摺取付腕５の先端部５ｂに形成した挿入孔７の内面側にシリコンゴム等からなる円筒状の弾性摺動体１４を挿入し、この円筒状の弾性摺動体１４の内面に手摺８の他方の端部の挿入固定部１０を摺動可能に挿入したものである。この弾性摺動体１４は、通常は図４（ａ）に示すように手摺８を直線状に保持している。しかし、手摺８とかご室の壁パネル２との隙間に子供の腕等が挟まれた場合には、手摺８を回転させることにより、手摺８の一端部の雄ねじ９を手摺取付腕５から外れる方向に移動させ、手摺８の一端部の雄ねじ９が外れた後、図４（ｂ）の仮想線で示すように、かご室の壁パネル２の表面から離れる方向に動かして容易に変形させることができるので、挟まれた腕等を容易に取り外すことができる。
【実施例４】
【００２１】
図５はこの発明の実施例４におけるエレベータのかご室手摺装置の構造を示す平面図、図６は図５のＡ部を拡大して示す図である。なお、実施例１と同一又は相当部分には同一符号を付してある。
この実施例４においては、左右両側に配置された手摺取付腕５の先端部５ｂを透明樹脂製で構成することにより、手摺取付腕５の先端部５ｂの雌ねじ６と手摺８の一端部の雄ねじ９とのねじ込み関係が目視により容易に確認できるようにしたものである。更に、透明樹脂製の手摺取付腕５の先端部５ｂの表面には、図６に示すように、手摺８とかご室の壁パネル２との隙間に子供の腕等が挟まれた際、手摺８の回転方向（緩める方向）が判るように矢印表示１５を施したものである。これにより、慌てずに手摺８の一端部の雄ねじ９を手摺取付腕５から外れる方向に回転させることができるという利点がある。なお、この矢印表示１５の近傍にも、例えば「万一挟まれた場合は、あわてずに矢印方向にお回し下さい」等の案内表示を入れておくことが望ましい。
【実施例５】
【００２２】
図７はこの発明の実施例５におけるエレベータのかご室手摺装置の構造を示す横断面図である。なお、実施例１と同一又は相当部分には同一符号を付してある。
この実施例５においては、左右一対のＬ字状を呈する手摺取付腕５の先端部５ｂの外周部にねじ１６を設け、手摺８の両端部の外周部にもねじ１７を設け、更に、これらのねじ１６、１７の両者間に跨ってねじ込まれる左右一対のナット１８を設けたものである。そして、手摺８の両端の一対のナット１８を回転させ、ナット１８を手摺取付腕５側に移動させることにより、手摺８を容易に取り外すことができる。
【実施例６】
【００２３】
図８はこの発明の実施例６におけるエレベータのかご室手摺装置の構造を示す横断面図、図９はその要部構造を示す斜視図である。なお、実施例１と同一又は相当部分には同一符号を付してある。
この実施例６においては、左右一対のうち右側に配置される手摺取付腕５を、壁パネル２に一端が取り付け固定され、先端外周部にねじが形成された基部５ｃと、この基部５ｃの先端外周部のねじにねじ込まれて固定される本体部５ｄとから構成したものである。そして、手摺８を回転させて手摺８の一端部を左側の手摺取付腕５から引き抜いた後、右側の手摺取付腕５の本体部５ｄをねじ込み部で、図９に示すように回転させて手摺８を容易に取り外すことができる。
【符号の説明】
【００２４】
１  床板
２、２ａ〜２ｃ  壁パネル
３  巾木
４  手摺装置
５  手摺取付腕
５ａ  根元部
５ｂ  先端部
５ｃ  基部
５ｄ  本体
６  雌ねじ
７  挿入孔
８  手摺
９  雄ねじ
１０  挿入部
１１  盗難防止用連結具（鎖）
１２、１５  矢印表示
１３  弾性体
１４  弾性摺動体
１６、１７  ねじ
１８  ナット
【図１】
2010241526.tif 000003
【図２】
2010241526.tif 000004
【図３】
2010241526.tif 000005
【図４】
2010241526.tif 000006
【図５】
2010241526.tif 000007
【図６】
2010241526.tif 000008
【図７】
2010241526.tif 000009
【図８】
2010241526.tif 000010
【図９】
2010241526.tif 000011